(57)【要約】【課題】  伝送路により通信可能に接続されたマスター側カラオケ装置とスレーブ側カラオケ装置とからなるカラオケシステムにおいて、各々のカラオケ装置において、所望する音量のカラオケ演奏音及び歌唱音声を出力する。【解決手段】  マスター側カラオケ装置１０ａでは、重畳信号受信手段Ｃにより、スレーブ歌唱信号に制御信号を重畳した重畳信号を、スレーブ側カラオケ装置１０ｂから受信する。また、混合信号送信手段Ｅにより、カラオケ演奏信号と、マスター歌唱信号とを、デコード手段Ｄがデコードした制御信号の制御値に基づいてミキシングして混合信号を生成し、スレーブ側カラオケ装置１０ｂに送信する。スレーブ側カラオケ装置１０ｂでは、スレーブミキシング手段Ｋにより、スレーブ歌唱信号と混合信号（カラオケ演奏信号及びマスター歌唱信号）とを、任意の音量レベルでミキシングして出力する。【選択図】図１
2015031756.tif 000002
【特許請求の範囲】
【請求項１】
伝送路により通信可能に接続されたマスター側カラオケ装置とスレーブ側カラオケ装置とからなるカラオケシステムであって、
前記マスター側カラオケ装置は、
カラオケ演奏信号を出力するカラオケ演奏信号出力手段と、
マスター歌唱信号を出力するマスター歌唱信号出力手段と、
前記スレーブ側カラオケ装置においてスレーブ歌唱信号に制御信号を重畳した重畳信号を、前記伝送路を介して、前記スレーブ側カラオケ装置から受信する重畳信号受信手段と、
前記重畳信号受信手段が受信した前記重畳信号をデコードして、前記スレーブ歌唱信号と前記制御信号とを出力するデコード手段と、
前記カラオケ演奏信号出力手段が出力した前記カラオケ演奏信号と、前記マスター歌唱信号出力手段が出力した前記マスター歌唱信号とを、前記デコード手段がデコードした前記制御信号の制御値に基づいてミキシングして混合信号を生成し、前記伝送路を介して、前記混合信号を前記スレーブ側カラオケ装置に送信する混合信号送信手段と、
前記カラオケ演奏信号出力手段が出力した前記カラオケ演奏信号と、前記マスター側歌唱信号出力手段が出力した前記マスター歌唱信号と、前記デコード手段が出力した前記スレーブ歌唱信号とを、それぞれ任意の音量レベルでミキシングして出力するマスターミキシング手段と、
を備え、
前記スレーブ側カラオケ装置は、
前記スレーブ歌唱信号を出力するスレーブ歌唱信号出力手段と、
前記制御値が規定された制御信号を取得する制御信号取得手段と、
前記スレーブ歌唱信号出力手段が出力した前記スレーブ歌唱信号に、前記制御信号取得手段により取得した制御信号を重畳した重畳信号を、前記伝送路を介して、前記マスター側カラオケ装置に送信する重畳信号送信手段と、
前記混合信号送信手段により送信された前記混合信号を、前記伝送路を介して受信する混合信号受信手段と、
前記スレーブ歌唱信号出力手段が出力した前記スレーブ歌唱信号と、前記混合信号受信手段が受信した混合信号とを、任意の音量レベルでミキシングして出力するスレーブミキシング手段と、
を備えたことを特徴とするカラオケシステム。
【請求項２】
前記スレーブ側カラオケ装置は、少なくとも３つの操作子を備え、
第１の操作子の出力値に応じて、前記スレーブミキシング手段における前記混合信号の音量レベルを制御するとともに、前記制御信号の制御値を規定し、
第２の操作子の出力値に応じて、前記制御信号の制御値を規定し、
第３の操作子の出力値に応じて、前記スレーブミキシング手段における前記スレーブ歌唱信号の音量レベルを制御する、
ことを特徴とする請求項１に記載のカラオケシステム。
【請求項３】
前記マスター歌唱信号出力手段は、エフェクト処理済みの前記マスター歌唱信号を出力し、
前記スレーブ歌唱信号出力手段は、エフェクト処理済みの前記スレーブ歌唱信号を出力する、
ことを特徴とする請求項１又は２に記載のカラオケシステム。
【発明の詳細な説明】
【技術分野】
【０００１】
本発明は、複数歌唱者による通信歌唱におけるカラオケ楽曲の再生音量や歌唱音声の音量調整を行うことが可能なカラオケシステムに関するものであり、詳しくは、伝送路を介して接続されたカラオケ装置において、例えば、デュエット歌唱を楽しむ際に、各カラオケ装置において、カラオケ楽曲の再生音量、自らの歌唱音声及び相手方の歌唱音声の音量を所望通りに調整することが可能なカラオケシステムに関するものである。
【背景技術】
【０００２】
現在普及しているカラオケシステムでは、伝送路により接続されたカラオケ装置において、デュエット歌唱を行うことができるシステムが開発されており、通信デュエット歌唱を行うためのシステムが種々開示されている（例えば、特許文献１参照）。
【０００３】
特許文献１に開示された技術は、双方向ブロードバンド方式の通信網に接続される複数の音楽演奏通信装置と、この音楽演奏通信装置の情報を管理する情報管理サーバとを接続して情報をやりとりする送受信システムを利用した通信デュエットに関する技術である。すなわち、音楽演奏通信装置間で映像・音響信号を、相互に送受信可能として複数の利用者が同時に演奏・参加するための検索・参加手段を備えており、演奏開始時刻及び進行中の演奏位置を相互で同時刻に合わせる同期信号方式と音響信号ストリームの通信上の欠損率（通信パケットロスの割合）と遅延とが大きくならないように他の映像ストリームや特徴情報よりも、音響信号を優先して通信網に配信する方式を用いるようになっている。
【先行技術文献】
【特許文献】
【０００４】
【特許文献１】特開２００５−７７４８５号公報
【発明の概要】
【発明が解決しようとする課題】
【０００５】
ところで、通信デュエット歌唱を行う各カラオケ装置をマスター側カラオケ装置とスレーブ側カラオケ装置とに区別し、マスター側カラオケ装置からスレーブ側カラオケ装置に向かって、カラオケ演奏信号とマスター側カラオケ装置での歌唱信号の混合信号を送信し、スレーブ側カラオケ装置からマスター側カラオケ装置に向かって、スレーブ側カラオケ装置での歌唱信号のみを送信することにより、各カラオケ装置における演奏同期を図って、快適な通信デュエット歌唱を行うことができるシステムが開発されている。
【０００６】
このマスター／スレーブ方式では、マスター側カラオケ装置では、当該マスター側カラオケ装置において生成したカラオケ演奏信号を使用し、スレーブ側カラオケ装置では、当該スレーブ側カラオケ装置において生成するカラオケ演奏信号を使用せずに、受信した混合音声信号に含まれるカラオケ演奏信号を使用してカラオケ演奏音声を出力する。
【０００７】
しかし、このようなマスター／スレーブ方式を採用した場合には、マスター側カラオケ装置では、カラオケ演奏音及び歌唱音声の音量を利用者の所望に合わせて調整することができるが、スレーブ側カラオケ装置では、マスター側カラオケ装置において調整されたカラオケ演奏音及び歌唱音声の音量を使用しているため、必ずしも利用者の所望に合致しているとは言えない場合がある。
【０００８】
そして、スレーブ側カラオケ装置において、利用者の所望に合わせてマスター側カラオケ装置から受信した混合音声信号（カラオケ演奏信号及びマスター歌唱信号）とスレーブ歌唱信号の調整を行う操作をしている間に、マスター側カラオケ装置でカラオケ演奏音及び歌唱音声の音量バランスの調整操作を行ってしまうと、音量調整のバランスを保てない状態となってしまう。
【０００９】
本発明は、上述した事情に鑑み提案されたもので、伝送路により通信可能に接続されたマスター側カラオケ装置とスレーブ側カラオケ装置とからなるカラオケシステムにおいて、各々のカラオケ装置において、所望する音量のカラオケ演奏音及び歌唱音声を出力することを目的とする。
【課題を解決するための手段】
【００１０】
本発明のカラオケシステムは、上述した事情に鑑み提案されたもので、以下の特徴点を有している。すなわち、本発明のカラオケシステムは、伝送路により通信可能に接続されたマスター側カラオケ装置とスレーブ側カラオケ装置とからなるカラオケシステムであって、マスター側カラオケ装置及びスレーブ側カラオケ装置は、それぞれ以下の手段を備えていることを特徴とするものである。マスター側カラオケ装置は、カラオケ演奏信号出力手段と、マスター歌唱信号出力手段と、重畳信号受信手段と、デコード手段と、混合信号送信手段と、マスターミキシング手段と、を備えている。スレーブ側カラオケ装置は、スレーブ歌唱信号出力手段と、制御信号取得手段と、重畳信号送信手段と、混合信号受信手段と、スレーブミキシング手段と、を備えている。
【００１１】
カラオケ演奏信号出力手段は、カラオケ演奏信号を出力するための手段である。マスター歌唱信号出力手段は、マスター歌唱信号を出力するための手段である。重畳信号受信手段は、スレーブ側カラオケ装置においてスレーブ歌唱信号に制御信号を重畳した重畳信号を、伝送路を介して、スレーブ側カラオケ装置から受信するための手段である。デコード手段は、重畳信号受信手段が受信した重畳信号をデコードして、スレーブ歌唱信号と制御信号とを出力するための手段である。混合信号送信手段は、カラオケ演奏信号出力手段が出力したカラオケ演奏信号と、マスター歌唱信号出力手段が出力したマスター歌唱信号とを、デコード手段がデコードした制御信号の制御値に基づいてミキシングして混合信号を生成し、伝送路を介して、混合信号をスレーブ側カラオケ装置に送信するための手段である。マスターミキシング手段は、カラオケ演奏信号出力手段が出力したカラオケ演奏信号と、マスター側歌唱信号出力手段が出力したマスター歌唱信号と、デコード手段が出力したスレーブ歌唱信号とを、それぞれ任意の音量レベルでミキシングして出力するための手段である。
【００１２】
スレーブ歌唱信号出力手段は、スレーブ歌唱信号を出力するための手段である。制御信号取得手段は、制御値が規定された制御信号を取得するための手段である。重畳信号送信手段は、スレーブ歌唱信号出力手段が出力したスレーブ歌唱信号に、制御信号取得手段により取得した制御信号を重畳した重畳信号を、伝送路を介して、マスター側カラオケ装置に送信するための手段である。混合信号受信手段は、混合信号送信手段により送信された混合信号を、伝送路を介して受信するための手段である。スレーブミキシング手段は、スレーブ歌唱信号出力手段が出力したスレーブ歌唱信号と、混合信号受信手段が受信した混合信号とを、任意の音量レベルでミキシングして出力するための手段である。
【００１３】
また、本発明のカラオケシステムは、上述した構成に加えて、スレーブ側カラオケ装置は、少なくとも３つの操作子を備えることが可能である。そして、第１の操作子の出力値に応じて、スレーブミキシング手段における混合信号の音量レベルを制御するとともに、制御信号の制御値を規定する。また、第２の操作子の出力値に応じて、制御信号の制御値を規定する。さらに、第３の操作子の出力値に応じて、スレーブミキシング手段におけるスレーブ歌唱信号の音量レベルを制御する。
【００１４】
また、本発明のカラオケシステムは、上述した構成に加えて、マスター歌唱信号出力手段は、エフェクト処理済みのマスター歌唱信号を出力し、スレーブ歌唱信号出力手段は、エフェクト処理済みのスレーブ歌唱信号を出力することが可能である。
【００１５】
上述した構成からなる本発明のカラオケシステムでは、伝送路により接続されたカラオケ装置において、カラオケ装置をマスター側カラオケ装置とスレーブ側カラオケ装置に区別する。そして、スレーブ側カラオケ装置では、自らのカラオケ演奏信号を使用せずに、伝送路を介して、マスター側カラオケ装置から送信されてくるマスター側カラオケ装置のカラオケ演奏信号を用いてカラオケ演奏を行う。すなわち、マスター側カラオケ装置では、カラオケ演奏信号とマスター歌唱信号とを重畳して混合信号を生成しているので、スレーブ側カラオケ装置において混合信号を再生することにより、マスター側カラオケ装置のカラオケ演奏信号とマスター歌唱信号を再生することができる。
【００１６】
一方、スレーブ側カラオケ装置は、スレーブ歌唱信号に制御信号を重畳して重畳信号を生成し、伝送路を介して、マスター側カラオケ装置に送信する。マスター側カラオケ装置では、重畳信号をデコードすることにより、スレーブ歌唱信号を再生することができる。さらに、重畳信号からデコードした制御信号の制御値に基づいて、スレーブ側カラオケ装置に送信する混合信号を生成する。すなわち、マスター側カラオケ装置で生成する混合信号の音量は、スレーブ側カラオケ装置から送信されてくる制御信号の制御を受けて調整される。
【発明の効果】
【００１７】
本発明のカラオケシステムでは、伝送路で接続されたカラオケ装置をマスター側カラオケ装置とスレーブ側カラオケ装置とに区別し、スレーブ側カラオケ装置では、マスター側カラオケ装置から送信されてくるカラオケ演奏信号を再生することによりカラオケ演奏を行う。このカラオケ演奏信号は、マスター歌唱信号と混合され混合信号となっている。そして、この混合信号の中のマスター歌唱信号の音量は、スレーブ側カラオケ装置から送信される制御信号の制御値に基づいて調整される。
【００１８】
このように、マスター側カラオケ装置では、独自に、利用者の所望に合わせて、カラオケ演奏音や歌唱音声の音量調整を行うことができる。一方、スレーブ側カラオケ装置では、マスター側カラオケ装置に制御信号を送信することにより、マスター側カラオケ装置から送信されてくるカラオケ演奏信号とマスター歌唱信号とを混合した混合信号の音量調整を行うことができる。
【００１９】
したがって、マスター側カラオケ装置及びスレーブ側カラオケ装置の双方において、それぞれ所望する音量のカラオケ演奏音及び歌唱音声を出力することができるので、双方のカラオケ装置の利用者は、カラオケの楽しさを十分に堪能することができる。
【図面の簡単な説明】
【００２０】
【図１】本発明の実施形態に係るカラオケシステムの概略構成を示すブロック図。
【図２】本発明の実施形態に係るカラオケシステムのマスター側カラオケ装置の主要構成を示すブロック図。
【図３】本発明の実施形態に係るカラオケシステムのスレーブ側カラオケ装置の主要構成を示すブロック図。
【図４】スレーブ側カラオケ装置における操作子の音声出力制御を示す説明図。
【発明を実施するための形態】
【００２１】
図面を参照して、本発明のカラオケシステムの実施形態について説明する。図１〜図４は本発明の実施形態に係るカラオケシステムを示すもので、図１はカラオケシステムの概略構成を示すブロック図、図２はマスター側カラオケ装置の主要構成を示すブロック図、図３はスレーブ側カラオケ装置の主要構成を示すブロック図、図４はスレーブ側カラオケ装置における操作子の音声出力制御を示す説明図である。
【００２２】
＜カラオケシステムの概要＞
本発明の実施形態に係るカラオケシステム１０は、図１に示すように、伝送路（専用電話回線、汎用回線、インターネット等）２００により接続された少なくとも２機のカラオケ装置（マスター側カラオケ装置１０ａとスレーブ側カラオケ装置１０ｂ）において、同一のカラオケ楽曲の演奏同期をとりながら、各カラオケ装置（マスター側カラオケ装置１０ａとスレーブ側カラオケ装置１０ｂ）において同時に歌唱を行う機能を有し、カラオケ装置のうちのいずれか１機をマスター側カラオケ装置１０ａとするとともに、その他のカラオケ装置をスレーブ側カラオケ装置１０ｂとしたシステムである。
【００２３】
以下の説明では、マスター側カラオケ装置１０ａとスレーブ側カラオケ装置１０ｂとの間で、通信デュエット歌唱を行う場合を説明するが、３機以上のカラオケ装置の間で、同一のカラオケ楽曲の演奏同期をとりながら、各カラオケ装置において同時に歌唱を行う場合にも、本発明を適用することができる。
【００２４】
この場合には、いずれか１機のカラオケ装置がマスター側カラオケ装置１０ａとなり、他のカラオケ装置がスレーブ側カラオケ装置１０ｂとして機能する。マスター側カラオケ装置１０ａ又はスレーブ側カラオケ装置１０ｂのいずれとなるかは、通信デュエット歌唱の選曲予約の態様等により異なるため、各カラオケ装置は、マスター側カラオケ装置１０ａ及びスレーブ側カラオケ装置１０ｂの双方で必要となるすべての手段等を含んでいる。
【００２５】
本発明の実施形態に係るカラオケシステムにおいて、マスター側カラオケ装置１０ａは、伝送路２００を介して、通信デュエット歌唱を行う場合に、当該マスター側カラオケ装置１０ａにおいて生成したカラオケ演奏信号と、マイクロホン１００から入力された歌唱音声信号とを混合した混合音声信号を、伝送路２００を介して、スレーブ側カラオケ装置１０ｂに送信する機能を有する。これに対して、スレーブ側カラオケ装置１０ｂは、自らカラオケ演奏信号を生成するのではなく、マスター側カラオケ装置１０ａから受信した混合音声信号に含まれるカラオケ演奏信号を用いてカラオケ演奏音を再生する。スレーブ側カラオケ装置１０ｂにおいてマイクロホン１００から入力された歌唱音声信号は、伝送路２００を介して、マスター側カラオケ装置１０ａに送信して再生される。
【００２６】
なお、以下の説明において、プログラムとは、ＲＡＭ等に記憶され、ＣＰＵ等のハードウェアで実行されることにより、その機能を発揮するソフトウェアだけではなく、同等の機能を発揮することが可能な論理回路も含む概念である。
【００２７】
＜伝送路＞
伝送路２００は、専用電話回線、汎用回線（一般電話回線）、インターネット、光通信網、ＬＡＮ及びこれらを組み合わせた通信回線等を使用することができる。使用する伝送路２００は、カラオケ装置が設置された環境等に応じて、適宜選択することができるが、特に、混合音声信号やスレーブ歌唱信号の送受信を行う伝送路２００は、可能な限りデータ伝送の遅延をなくすために、専用電話回線を用いることが好ましい。また、データ伝送の遅延が問題とならない場合には、インターネットのＶＰＮ機能等を用いて、データの送受信を行ってもよい。
【００２８】
＜管理サーバ＞
また、本発明の実施形態に係るカラオケシステムにおいて、カラオケ装置（マスター側カラオケ装置１０ａとスレーブ側カラオケ装置１０ｂ）は、伝送路２００を介して管理サーバ３００と接続されている。管理サーバ３００は、会員情報の管理、カラオケ装置に対する楽曲データの配信、録音録画データの公開等を行うためのサーバである。なお、単独の管理サーバ３００により、上述した複数の機能を実現するのではなく、各機能に特化したサーバを設け、各サーバにより各機能を実現してもよい。この際、仮想化技術により、１つのサーバに複数の機能を持たせることもできる。
【００２９】
＜カラオケ装置＞
上述したように、カラオケ装置は、マスター側カラオケ装置１０ａ及びスレーブ側カラオケ装置１０ｂからなり、各カラオケ装置はカラオケ演奏を行うための基本的な構成を備えている。そして、通信デュエット歌唱の選曲予約の態様等により、マスター側カラオケ装置１０ａとして機能するか、あるいはスレーブ側カラオケ装置１０ｂとして機能するかが決定される。
【００３０】
カラオケ装置の基本的な構成とは、カラオケ演奏を行うための基本的な構成であり、図示しないが、カラオケ演奏を行う主要部であるカラオケ本体と、その付帯装置とからなる。カラオケ本体は、例えば、伝送路２００を介してデータの送受信を行うための送受信手段、ＣＰＵ等を備えてカラオケ本体を総合的に制御する中央制御手段、記憶手段であるＲＯＭ及びＲＡＭ、大容量記憶手段であるＨＤＤ、選曲予約を管理する予約管理手段、カラオケ楽曲の再生を制御する音楽再生制御手段、マイクロホンからの音声入力信号をデジタル変換するＡ／Ｄコンバータ、ビデオカメラからのビデオ信号の入力を制御するビデオＩ／Ｆ等からなる。
【００３１】
ＨＤＤには、例えば、楽曲データベース及び映像データベースが格納されている。楽曲データベースは、演奏制御データ（ＭＩＤＩ規格のデータ）及び歌詞描出データが同期されて構成される楽曲データについて、楽曲ＩＤと対応付けてそれぞれ構成されたデータベースである。演奏制御データは、各楽曲の演奏を制御するためのデジタルデータであり、歌詞描出データは演奏に同期した歌詞文字の表示タイミングデータ及び色変わりデータを含んでいる。映像データベースは、演奏されるカラオケ楽曲に対応した背景映像を、当該カラオケ楽曲の楽曲ＩＤに対応させた映像ファイルとして所定数格納したデータベースである。
【００３２】
付帯装置は、例えば、ビデオカメラ、スピーカ、マイクロホン、ミキシングアンプ、表示装置、カラオケリモコン装置等からなる。カラオケリモコン装置は、ユーザインタフェース機能を備えており、ルータを介して、カラオケ本体との間でデータの送受信を行うようになっている。このカラオケリモコン装置は、楽曲検索手段として機能するプログラム、楽曲索引データベース、種々のデータを記憶するためのデータ記憶部、データの入出力を行うための入出力表示部等を備えている。このカラオケリモコン装置に付帯するスイッチ類や、入出力表示部に表示される各種のアイコン等を操作することにより、選曲操作等が行われる。
【００３３】
＜マスター側カラオケ装置＞
マスター側カラオケ装置１０ａは、上述した基本的な構成要素とともに、図２に示すように、カラオケ演奏信号出力手段Ａ、マスター歌唱信号出力手段Ｂ、重畳信号受信手段Ｃ、デコード手段Ｄ、混合信号送信手段Ｅ、マスターミキシング手段Ｆを備えている。以下、上述した基本的な構成を含めて、本実施形態について詳細に説明する。なお、上述した基本的な構成の説明と、以下に示す具体的な構成の説明とでは、構成要素の機能の説明を容易なものとするため用語が異なっている場合があるが、これは説明のための便宜的な相違であり、本質的な相違ではない（スレーブ側カラオケ装置１０ｂにおいても同様）。
【００３４】
マスター側カラオケ装置１０ａは、図２に示すように、カラオケ本体部２０と、伝送データ送受信部３０に大別することができる。カラオケ本体部２０は、音源部４０、エフェクタ５０、ミキサ６０、エンコーダ７０、デコーダ８０を主要な構成要素としている。エフェクタ５０には、マイクロホン１００から歌唱音声信号（マスター歌唱信号）が入力され、ミキサ６０でミキシングされた音声信号（カラオケ演奏信号、マスター歌唱信号、スレーブ歌唱信号）は、アンプ１１０に出力される。
【００３５】
ミキサ６０は、カラオケ演奏信号の出力音量を調整するためのカラオケ演奏音量調整ボリューム６０ａ、マスター歌唱信号の出力音量を調整するためのマスター歌唱音量調整ボリューム６０ｂ、スレーブ歌唱信号の出力音量を調整するためのスレーブ歌唱音量調整ボリューム６０ｃを備えている。
【００３６】
マスター歌唱音声の出力信号線と伝送データ送受信部３０との間の信号線には、送信するマスター歌唱信号の出力調整を行うためのボリューム９０が配設されており、デコーダ８０の機能により、スレーブ側カラオケ装置１０ｂから送信されてきた重畳信号から分離した制御信号の制御値に基づいて、送信するマスター歌唱信号の出力調整を行う。エンコーダ７０には、出力調整を行うためのボリューム１２０が接続されているが、このエンコーダ７０は、マスター側カラオケ装置１０ａでは使用されない。
【００３７】
伝送データ送受信部３０は、スレーブ側カラオケ装置１０ｂに、伝送路２００を介して、カラオケ演奏信号とマスター歌唱信号とを混合した混合信号を送信するとともに、スレーブ側カラオケ装置１０ｂから、スレーブ歌唱信号と制御信号とを重畳した重畳信号を受信するための部分である。
【００３８】
スレーブ側カラオケ装置１０ｂから受信した制御信号により出力調整されたマスター歌唱信号とカラオケ演奏信号の混合信号は、伝送路２００を介して、スレーブ側カラオケ装置１０ｂに送信される。また、スレーブ側カラオケ装置１０ｂから、伝送路２００を介して受信した重畳信号は、カラオケ本体部２０のデコーダ８０へ入力される。
【００３９】
＜カラオケ演奏信号出力手段＞
カラオケ演奏信号出力手段Ａは、カラオケ演奏信号を出力するための電子機器からなり、図２に示す例では、音源部４０がカラオケ演奏信号出力手段Ａに相当する。
【００４０】
＜マスター歌唱信号出力手段＞
マスター歌唱信号出力手段Ｂは、マスター歌唱信号を出力するための電子機器からなり、図２に示す例では、エフェクタ５０がマスター歌唱信号出力手段Ｂに相当する。このように、マスター歌唱信号出力手段Ｂは、エフェクト処理済みのマスター歌唱信号を出力することができる。
【００４１】
＜重畳信号受信手段＞
重畳信号受信手段Ｃは、スレーブ側カラオケ装置１０ｂにおいてスレーブ歌唱信号に制御信号を重畳した重畳信号を、伝送路２００を介して、スレーブ側カラオケ装置１０ｂから受信するための電子機器からなる。図２に示す例では、伝送データ送受信部３０において、スレーブ側カラオケ装置１０ｂから受信した重畳信号をカラオケ本体部１０へ伝送するための回路部が重畳信号受信手段Ｃに相当する。
【００４２】
＜デコード手段＞
デコード手段Ｄは、重畳信号受信手段Ｃが受信した重畳信号をデコードして、スレーブ歌唱信号と制御信号とを出力するための電子回路からなり、図２に示す例では、デコーダ８０がデコード手段Ｄに相当する。
【００４３】
＜混合信号送信手段＞
混合信号送信手段Ｅは、カラオケ演奏信号出力手段Ａが出力したカラオケ演奏信号と、マスター歌唱信号出力手段Ｂから出力され、デコード手段Ｄがデコードした制御信号の制御値に基づいて出力調整されたマスター歌唱信号とをミキシングして、混合信号を生成し、伝送路２００を介して、混合信号をスレーブ側カラオケ装置１０ｂに送信するための電子回路からなり、図２に示す例では、マスター歌唱信号の信号線及びマスター歌唱信号の出力調整を行うためのボリューム９０と、伝送データ送受信部３０の混合信号の信号線を含む回路部が混合信号送信手段Ｅに相当する。
【００４４】
＜マスターミキシング手段＞
マスターミキシング手段Ｆは、カラオケ演奏信号出力手段Ａが出力したカラオケ演奏信号と、マスター側歌唱信号出力手段Ｂが出力したマスター歌唱信号と、デコード手段Ｄが出力したスレーブ歌唱信号とを、それぞれ任意の音量レベルでミキシングして出力するための電子回路からなり、図２に示す例では、ミキサ６０がマスターミキシング手段Ｆに相当する。
【００４５】
＜スレーブ側カラオケ装置＞
スレーブ側カラオケ装置１０ｂは、上述した基本的な構成要素とともに、図３に示すように、スレーブ歌唱信号出力手段Ｇと、制御信号取得手段Ｈと、重畳信号送信手段Ｉと、混合信号受信手段Ｊと、スレーブミキシング手段Ｋを備えている。スレーブ側カラオケ装置１０ｂの構成はマスター側カラオケ装置１０ａとほぼ同様であり、図３に示すように、カラオケ本体部２０と、伝送データ送受信部３０に大別することができる。カラオケ本体部２０は、音源部４０、エフェクタ５０、ミキサ１６０、エンコーダ７０、デコーダ８０を主要な構成要素としている。エフェクタ５０には、マイクロホン１００から歌唱音声信号（スレーブ歌唱信号）が入力され、ミキサ１６０でミキシングされた音声信号（カラオケ演奏信号とマスター歌唱信号との混合信号、スレーブ歌唱信号）は、アンプ１１０に出力される。
【００４６】
ミキサ１６０は、カラオケ演奏信号の出力音量を調整するためのカラオケ演奏音量調整ボリューム１６０ａ、スレーブ歌唱信号の出力音量を調整するためのスレーブ歌唱音量調整ボリューム１６０ｂ、混合信号（カラオケ演奏信号及びマスター歌唱信号）の出力音量を調整するための混合音量調整ボリューム１６０ｃを備えている。なお、スレーブ側カラオケ装置１０ｂでは、自機の音源からのカラオケ演奏信号を用いないため、カラオケ演奏音量調整ボリューム１６０ａは使用しない（オープンとなっている）。同様の理由で、図３においては、音源部４０とエンコーダ７０、及び音源部４０とミキサ１６０との間は接続状態となっていない。この際、音源部４０の電源をオフとしてカラオケ演奏信号の出力をカットしてもよいし、音源部４０の電源はオンのままで、カラオケ演奏信号の出力のみをカットしてもよい。
【００４７】
＜操作子＞
本実施形態のスレーブ側カラオケ装置１０ｂは、スレーブミキシング手段Ｋにおける混合信号の音量レベルを制御するとともに、制御信号の制御値を規定するための第１の操作子と、制御信号の制御値を規定するための第２の操作子と、スレーブミキシング手段Ｋにおけるスレーブ歌唱信号の音量レベルを制御するための第３の操作子を備えている。これらの操作子は、例えば、カラオケリモコン装置の入出力画面（タッチパネル）に表示される。そして、利用者が入出力画面（タッチパネル）に表示された各操作子をタップしたりドラッグ・アンド・ドロップしたりすることにより、各操作子を操作することができる。
【００４８】
第１の操作子は、図４に示すように、混合音量調整ボリューム１６０ｃ及びエンコーダ７０に接続されたボリューム１２０を制御し、スレーブミキシング手段Ｋにおける混合信号の音量レベルを制御するとともに、制御信号の制御値を規定する。図４に示す例では、操作子１のレベルが０．６倍になるような操作を行うと、混合音量調整ボリューム１６０ｃのレベルが０．６倍になるとともに、ボリューム１２０のレベルが１．６７倍になる。これにより、スレーブ歌唱信号及びマスター歌唱信号の音量レベルを変化させることなく、カラオケ演奏信号の音量レベルのみを変化させることができる。
【００４９】
第２の操作子は、図４に示すように、エンコーダ７０に接続されたボリューム１２０を制御し、制御信号の制御値を規定する。図４に示す例では、操作子２のレベルが０．５倍になるような操作を行うと、ボリューム１２０のレベルが０．５倍になる。これにより、スレーブ歌唱信号及びカラオケ演奏信号の音量レベルを変化させることなく、マスター歌唱信号の音量レベルのみを変化させることができる。
【００５０】
第３の操作子は、図４に示すように、スレーブ歌唱音量調整ボリューム１６０ｂを制御し、スレーブミキシング手段Ｋにおけるスレーブ歌唱信号の音量レベルを制御する。図４に示す例では、操作子３のレベルが０．５倍になるような操作を行うと、スレーブ歌唱音量調整ボリューム１６０ｂのレベルが０．５倍になる。これにより、マスター歌唱信号及びカラオケ演奏信号の音量レベルを変化させることなく、スレーブ歌唱信号の音量レベルのみを変化させることができる。
【００５１】
スレーブ歌唱音声の出力信号線とエンコーダ７０との間には、スレーブ歌唱信号の出力調整を行うためのボリューム９０が配設されているが、スレーブ側カラオケ装置１０ｂにおいて出力調整は行わず、例えば、出力が最大となるように固定される。エンコーダ７０には、制御信号を取得するためのボリューム１２０が接続されている。このボリューム１２０で設定された制御値に基づいた制御信号は、エンコーダ７０においてスレーブ歌唱信号と重畳され、伝送データ送受信部３０に入力される。なお、スレーブ側カラオケ装置１０ｂでは、デコーダ８０は使用されない。
【００５２】
伝送データ送受信部３０は、マスター側カラオケ装置１０ａに、伝送路２００を介して、スレーブ歌唱信号と制御信号とを混合した重畳信号を送信するとともに、マスター側カラオケ装置１０ａから、カラオケ演奏信号とマスター歌唱信号とを重畳した混合信号を受信するための部分である。
【００５３】
スレーブ歌唱信号と制御信号とを混合した重畳信号は、伝送路２００を介して、マスター側カラオケ装置１０ａに送信される。また、マスター側カラオケ装置１０ａから、伝送路２００を介して受信した混合信号は、カラオケ本体部２０のミキサ１６０へ入力される。
【００５４】
＜スレーブ歌唱信号出力手段＞
スレーブ歌唱信号出力手段Ｇは、スレーブ歌唱信号を出力するための電子回路からなり、図３に示す例では、エフェクタ５０がスレーブ歌唱信号出力手段Ｇに相当する。このように、スレーブ歌唱信号出力手段Ｇは、エフェクト処理済みのスレーブ歌唱信号を出力することができる。
【００５５】
＜制御信号取得手段＞
制御信号取得手段Ｈは、制御値を規定する制御信号を取得するための電子回路からなり、図３に示す例では、エンコーダ７０に接続されたボリューム１２０が制御信号取得手段Ｈに相当する。また、本実施形態では、第２の操作子によりボリューム１２０を制御し、エンコーダ７０でスレーブ歌唱信号に重畳する制御信号の制御値を規定する。
【００５６】
＜重畳信号送信手段＞
重畳信号送信手段Ｉは、スレーブ歌唱信号出力手段Ｇが出力したスレーブ歌唱信号に、制御信号取得手段Ｈにより取得した制御信号を重畳した重畳信号を、伝送路２００を介して、マスター側カラオケ装置１０ａに送信するための電子回路からなり、図３に示す例では、スレーブ歌唱信号の信号線及びエンコーダ７０と、伝送データ送受信部３０の重畳信号の信号線を含む回路が重畳信号送信手段Ｉに相当する。
【００５７】
＜混合信号受信手段＞
混合信号受信手段Ｊは、混合信号送信手段Ｅにより送信された混合信号を、伝送路２００を介して受信するための電子回路からなり、図３に示す例では、伝送データ送受信部３０の信号線を含む回路部が混合信号受信手段Ｊに相当する。
【００５８】
＜スレーブミキシング手段＞
スレーブミキシング手段Ｋは、スレーブ歌唱信号出力手段Ｇが出力したスレーブ歌唱信号と、混合信号受信手段Ｊが受信した混合信号とを、任意の音量レベルでミキシングして出力するための電子回路からなり、図３に示す例では、ミキサ１６０がスレーブミキシング手段Ｋに相当する。
【００５９】
＜他の実施形態＞
本発明のシステム及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。
【符号の説明】
【００６０】
１０ａ  マスター側カラオケ装置
１０ｂ  スレーブ側カラオケ装置
２０  カラオケ本体部
３０  伝送データ送受信部
４０  音源部
５０  エフェクタ
６０  ミキサ
６０ａ  カラオケ演奏音量調整ボリューム
６０ｂ  マスター歌唱音量調整ボリューム
６０ｃ  スレーブ歌唱音量調整ボリューム
７０  エンコーダ
８０  デコーダ
９０  ボリューム
１００  マイクロホン
１１０  アンプ
１２０  ボリューム
１６０  ミキサ
１６０ａ  カラオケ演奏音量調整ボリューム
１６０ｂ  スレーブ歌唱音量調整ボリューム
１６０ｃ  混合音量調整ボリューム
２００  伝送路
３００  管理サーバ
Ａ  カラオケ演奏信号出力手段
Ｂ  マスター歌唱信号出力手段
Ｃ  重畳信号受信手段
Ｄ  デコード手段
Ｅ  混合信号送信手段
Ｆ  マスターミキシング手段
Ｇ  スレーブ歌唱信号出力手段
Ｈ  制御信号取得手段
Ｉ  重畳信号送信手段
Ｊ  混合信号受信手段
Ｋ  スレーブミキシング手段
【図１】
2015031756.tif 000003
【図２】
2015031756.tif 000004
【図３】
2015031756.tif 000005
【図４】
2015031756.tif 000006